(57)【要約】    【課題】  操作性が良くリアリティの高い表現の可能な着ぐるみを提供する。    【解決手段】  骨格構造は、頭フレーム２、首フレーム４、腰フレーム６、尻尾フレーム１０を備えて構成されている。この実施形態では、首フレーム４、腰フレーム６、尻尾フレーム１０は固定されており、メインフレームを構成している。腰フレーム６の中央部に、枠体１８が設けられている。枠体１８には、ラバースプリング１６を介して、腰装着部８が固定されている。腰フレーム６は、腰装着部８に対して、前傾方向、後傾方向に回動可能となっている。【選択図】  図２
2020078514.tif 000002
【特許請求の範囲】
【請求項１】
直立した操作者に対して前後に広がりのある着ぐるみであって、
操作者の腰に装着するための腰装着部と、
前記腰装着部に結合されたフレームと、
前記フレームを覆うように設けられた外観筐体と、
を備えた着ぐるみ。
【請求項２】
請求項１の着ぐるみにおいて、
前記フレームは、前記腰装着部の左右において前傾方向または後傾方向またはその双方向に回動可能に結合され、操作者の前傾後傾姿勢とは独立して前記フレームが回動可能であることを特徴とする着ぐるみ。
【請求項３】
請求項２の着ぐるみにおいて、
前記腰装着部の左右には固定軸が突出して設けられ、当該固定軸にラバースプリングを介して前記フレームが結合されていることを特徴とする着ぐるみ。
【請求項４】
請求項１〜３のいずれかの着ぐるみにおいて、
前記腰装着部は、当該着ぐるみの重心位置近傍に設けられることを特徴とする着ぐるみ。
【請求項５】
請求項１〜４のいずれかの着ぐるみにおいて、
前記フレームは、
前記腰フレームに結合されたメインフレームと、
メインフレームに対して可動に固定された端部フレームと、
を備えた着ぐるみ。
【請求項６】
請求項５の着ぐるみにおいて、
前記端部フレームの可動に応じて、前記外観筐体の頭、首、手または尻尾部分が動くことを特徴とする着ぐるみ。
【請求項７】
請求項６の着ぐるみにおいて、
前記端部フレームの一端は操作部となっており、操作者が操作部を駆動することによって、前記外観筐体の頭、首、手または尻尾部分が動くことを特徴とする着ぐるみ。
【請求項８】
直立した操作者に対して前後に広がりのある着ぐるみのための骨格構造体であって、
操作者の腰に装着するための腰装着部と、
前記腰装着部に結合され、外観筐体によって覆って使用するためのフレームと、
を備えた着ぐるみのための骨格構造。
【請求項９】
直立した操作者に対して前後に広がりのある着ぐるみのための骨格構造体であって、
操作者の腰に装着するための腰装着部と、
腰装着部の左右端において、前傾方向または後傾方向またはその双方向に回動可能に結合された腰フレームと、
腰フレームの後端部に立接された尻尾フレームと、
腰フレームの先端部に立接された首フレームと、
腰フレームの先端部に、その根元部分が回動可能に固定された頭フレームと、
頭フレームの所定以上の下方向への回動を規制するため、頭フレームと首フレームとの間に設けられた規制ひもと、
を備えた骨格構造。
【発明の詳細な説明】
【技術分野】
【０００１】
この発明は、テーマパークなどで用いる着ぐるみに関し、特にその操作性の改善とリアリティの向上に関するものである。
【背景技術】
【０００２】
人間が中に入って動く着ぐるみは、テーマパーク、イベント、ショー、テレビ番組などで用いられている。着ぐるみのリアリティは、その外観素材や装飾によって影響を受けるが、中に入っている操作者の動きに負うところも大きい。
【０００３】
したがって、操作者の負担を軽くして自由な動きを表現できるような構造であることが、リアリティの向上に結びつく。
【０００４】
特許文献１には、着ぐるみの内部に背負子を設け、操作者が当該背負子を背負って、着ぐるみを動かす構造としたものが開示されている。この時、背中に背負った背負子の近傍に着ぐるみ全体の重心がくるように配置されている。これにより、常時、操作者に無理な力がかからず、操作が容易な着ぐるみを提供できる。
【先行技術文献】
【特許文献】
【０００５】
【特許文献１】特許第４２９５２９７号
【発明の概要】
【発明が解決しようとする課題】
【０００６】
しかしながら、特許文献１のような従来技術では、背負子によって着ぐるみを支えているので、着ぐるみを前傾・後傾させる場合には、上半身を前傾後傾させなければならなかった。このため、操作者の動きが制限され、操作性が悪くリアリティに欠けるという問題点があった。これは、着ぐるみが大型化したり、前後に長くなった場合に顕著であった。
【０００７】
この発明は、上記のような問題点を解決して、操作性が良くリアリティの高い表現の可能な着ぐるみを提供することを目的とする。
【課題を解決するための手段】
【０００８】
請求項にて請求した範囲に相当するいくつかの実施形態を以下に示す。これらの実施形態は、開示範囲の限定を意図するものではない。本願における開示は、以下において説明する実施形態と類似しあるいは異なる種々の形態を包含するものである。
【０００９】
この発明の独立して適用可能ないくつかの特徴を列挙する。
【００１０】
(1)この発明に係る着ぐるみは、直立した操作者に対して前後に広がりのある着ぐるみであって、操作者の腰に装着するための腰装着部と、前記腰装着部に結合されたフレームと、前記フレームを覆うように設けられた外観筐体とを備えている。
【００１１】
したがって、操作者に対する負担の少ない着ぐるみを提供することができる。
【００１２】
(2)この発明に係る着ぐるみは、フレームが、前記腰装着部の左右において前傾方向または後傾方向またはその双方向に回動可能に結合されていることを特徴としている。
【００１３】
したがって、前傾・後傾の動作が容易でありリアリティの高い動きのできる着ぐるみを提供することができる。
【００１４】
(3)この発明に係る着ぐるみは、腰装着部の左右には固定軸が突出して設けられ、当該固定軸にラバースプリングを介して前記フレームが結合されていることを特徴としている。
【００１５】
したがって、ラバースプリングによって所定範囲の回動操作を可能としている。
【００１６】
(4)この発明に係る着ぐるみは、腰装着部が、当該着ぐるみの重心位置近傍に設けられることを特徴としている。
【００１７】
したがって、前傾・後傾操作が容易であり、操作者に対する負担が少ない。
【００１８】
(5)この発明に係る着ぐるみは、フレームが、腰フレームに結合されたメインフレームと、メインフレームに対して可動に固定された端部フレームとを備えている。
【００１９】
したがって、端部フレームを駆動させることで、着ぐるみの動きを表現することができる。
【００２０】
(6)この発明に係る着ぐるみは、端部フレームの可動に応じて、外観筐体の頭、首、手または尻尾部分が動くことを特徴としている。
【００２１】
したがって、端部フレームを駆動させることで、外観筐体の頭、首、手または尻尾部分を動かすことができる。
【００２２】
(7)この発明に係る着ぐるみは、前記端部フレームの一端は操作部となっており、操作者が操作部を駆動することによって、前記外観筐体の頭、首、手または尻尾部分が動くことを特徴としている。
【００２３】
したがって、操作部によって容易に前記外観筐体の頭、首、手または尻尾部分を動かすことができる。
【００２４】
(8)この発明に係る着ぐるみのための骨格構造は、直立した操作者に対して前後に広がりのある着ぐるみのための骨格構造体であって、操作者の腰に装着するための腰装着部と、前記腰装着部に結合され、外観筐体によって覆って使用するためのフレームとを備えている。
【００２５】
したがって、操作者に対する負担の少ない着ぐるみのための骨格構造を提供することができる。
【００２６】
(9)この発明に係る着ぐるみのための骨格構造は、直立した操作者に対して前後に広がりのある着ぐるみのための骨格構造体であって、操作者の腰に装着するための腰装着部と、腰装着部の左右端において、前傾方向または後傾方向またはその双方向に回動可能に結合された腰フレームと、腰フレームの後端部に立接された尻尾フレームと、腰フレームの先端部に立接された首フレームと、腰フレームの先端部に、その根元部分が回動可能に固定された頭フレームと、頭フレームの所定以上の下方向への回動を規制するため、頭フレームと首フレームとの間に設けられた規制ひもとを備えている。
【００２７】
したがって、操作者に対する負担の少ない着ぐるみのための骨格構造を提供することができる。
【図面の簡単な説明】
【００２８】
【図１】この発明の一実施形態による着ぐるみの構造図である。
【図２】着ぐるみの骨格構造を示す図である。
【図３】ラバースプリング１６の構造を示す図である。
【図４】腰装着部８の詳細図である。
【図５】操作者が着ぐるみを装着した時の骨格構造の状態を示す図である。
【図６】前傾時の骨格構造の状態を示す図である。
【図７】後傾時の骨格構造の状態を示す図である。
【図８】腰フレーム６と頭フレーム２の取付状態を示す図である。
【図９】頭を左右に操作する構造を示す図である。
【図１０】上部口骨格４０近傍の詳細図である。
【図１１】操作レバー６６の詳細図である。
【図１２】口を開閉する構造を示す図である。
【発明を実施するための形態】
【００２９】
図１に、この発明の一実施形態による着ぐるみの構成を示す。この着ぐるみは、概略、骨格構造に恐竜の表皮（外観筐体）を被せた構造となっている。骨格構造は、頭フレーム２、首フレーム４、腰フレーム６、尻尾フレーム１０を備えて構成されている。この実施形態では、首フレーム４、腰フレーム６、尻尾フレーム１０は固定されており、メインフレームを構成している。腰フレーム６には、Ｕ字状に形成された腰装着部８が固定されている。なお、各フレームは、軽量化のため例えばアルミパイプが用いられている。アルミパイプに代えて合成樹脂材等を用いてもよい。
【００３０】
この骨格構造を覆うように、布、紙、ゴム、合成樹脂材などによる膜状の素材にて構成される表皮５が設けられている。表皮の前面には、ファスナーが設けられ、内部に操作者が入ることができるようになっている。
【００３１】
図２に、骨格構造の詳細を示す。図において、腰装着部８の近傍は、分解図として示している。腰フレーム６の中央部に、枠体１８が設けられている。枠体１８には、ラバースプリング１６を介して、腰装着部８が固定されている。
【００３２】
図４に、腰装着部８の詳細を示す。腰装着部８は、略コ字状に曲げられた平板による本体７を有している。左右の端部には、外側に向けて角柱の固定軸９が設けられている。
【００３３】
図３に、ラバースプリング１６の詳細を示す。ラバースプリング１６は、ゴムで形成されており、その外形が枠体１８に収納して固定される大きさとなっている。ラバースプリング１６は、中空の外部角柱１９を備えている。その内部には、ゴム１７によって四方から保持された中空の内部角柱２１が設けられている。内部角柱２１の中空部分には、腰装着部８の固定軸９が挿入できるようになっている。したがって、ラバースプリング１６は、腰装着部８に対して、矢印ＡＢの方向に回動可能となっている。
【００３４】
これにより、腰フレーム６は、腰装着部８に対して、図１の前傾方向Ａ、後傾方向Ｂに所定角度だけ回動可能となっている。この実施形態では、前後にそれぞれ１５度程度回動可能となるようにしている。
【００３５】
図５に、操作者２０が装着した状態を示す。操作者２０は、腰装着部８を腰に装着し、図４の孔７ａに固定された装着ベルト（図示せず）を腰に巻き付けるように固定する。
【００３６】
図５は、静止状態を示している。操作者は、腰フレーム６と首フレーム４を連結する連結フレーム５を手で操作（引っ張ったり、押したり）するだけで、操作者の姿勢とは独立して恐竜の前傾・後傾姿勢を変えることができる。たとえば、操作者自体の姿勢をはそのままで恐竜の前傾・後傾姿勢を変えることができる。操作者が後ろ側に倒れた姿勢であっても恐竜を前傾させることができ、操作者が前方向に前に倒れた姿勢であっても恐竜を後傾させることができる。
【００３７】
図６に前傾時の状態（頭が下がって、尻尾が上がった状態）を、図７に後傾時の状態（頭が上がって、尻尾が下がった状態）を示す。腰で支えるようにしているので操作者に負担がなく操作が容易であるため、リアリティの高い着ぐるみの動きを実現することができる。また、この実施形態においては、構造体の重心を、腰装着部８の近傍（好ましくは腰装着部８の中）に位置するようにしているので、操作者の背中に重心を位置させた場合に比べて、操作者に対する負担が少ない。
【００３８】
図８に、フレームを側面から見た図を示す。腰フレーム６の先端部に接合部２６が設けられ、頭フレーム２（端部フレーム）が回転可能に軸支されている。頭フレーム２の一端に設けられた操作部２８を下に押すことで、頭フレーム２の他端部を矢印Ｃ方向に引き上げることができる。これにより、腰装着部８を中心とした恐竜全体の前傾・後傾とは別に、尻尾はそのままで、接合部２６を中心とした回転により、恐竜の頭を上に上げることができる。
【００３９】
なお、恐竜の頭が下に向きすぎないように、頭フレーム２と首フレーム４の間に規制ひも３０が設けられている。
【００４０】
この実施形態では、表現力を高めるために、恐竜の頭を恐竜の身体に対して左右に動かしたり、恐竜の口を開閉したりする操作を行うことができるようにしている。
【００４１】
図９に、頭を左右に動かすための構造を示す。頭フレーム２の先端部には、上部口骨格４０および下部口骨格４２が、軸４４によって左右に回転可能なように固定されている。図１０に、上部口骨格４０、下部口骨格４２と頭フレーム２との間の接続構造を示すための平面断面図を示す。
【００４２】
頭フレーム２には、平板ブラケット４６が固定されている。一方、上部口骨格４０の背面には、平板ブラケット４８が固定されている。平板ブラケット４６、４８ともに、貫通穴が設けられており、軸４４によって結合されている。したがって、上部口骨格４０は、頭フレーム２に対して、矢印Ｄ、Ｅの方向（水平方向）に回動可能となっている。
【００４３】
上部口骨格４０の裏面の左右端には、ワイヤ保持用のピン５０が設けられている。このピン５０に対してワイヤ５２が縛り付けられている。ワイヤ５２は、滑車５４を介して、頭フレーム２の後端部に設けられた操作ハンドル５６（図９）まで、導かれている。すなわち、図９に示すように、滑車５４、５８を介して、操作ハンドル５６の左右の突出部６０、６２に縛り付けられている。
【００４４】
操作ハンドル５６の詳細を、図１１Ａ、図１１Ｂに示す。図１１Ａが平面図、図１１Ｂが正面図である。図１１Ａに示すように、頭フレーム２の後端部にはブラケット７６が設けられている。このブラケット７６に対し、回動体７４が軸６４によって軸支されている。したがって、回動体７４は、軸６４を中心に回動する（図９も参照のこと）。
【００４５】
図１１Ｂに示すように、この回動体７４の下部には、回動可能となるように軸７８が設けられている。この軸７８には、プレート６８、ハンドル６６が固定されている。したがって、プレート６８、ハンドル６６は、軸７８を中心に回動する。すなわち、図９の矢印Ｄ、Ｅ方向に回動する。
【００４６】
操作者が操作レバー６６を回転させると、プレート６８の回動に伴って、突出部６０、６２も軸７８を中心にして回動する。この突出部６０、６１の動きは、ワイヤ５２によって、上部口骨格４０に伝えられる。したがって、操作レバー６６を回転させることにより、上部口骨格４０も矢印Ｄ、Ｅの方向に回動する。上部口骨格４０、下部口骨格４２には、表皮５の顔部分が固定されているので、操作レバー６６の回転によって、恐竜の顔が左右（矢印Ｄ、Ｅ方向）に動くことになる。
【００４７】
図１２に、口を開閉するための構造を示す。下部口骨格４２は、上部口骨格４０に対して、軸８０によって回動可能に固定されている。なお、下部口骨格４２は、バネ８２によって閉じる方向に付勢されている。
【００４８】
下部口骨格４２の先端裏面には、ワイヤー９０が縛り付けられている。ワイヤー９０は、滑車８４、８６を介して、操作レバー６６の下端部に縛り付けられている。
【００４９】
操作者が操作レバー６６を手前に引くと、操作レバー６６は軸６４を中心として回動する。この動きは、ワイヤー９０を介して下部口骨格４２の下端部に伝わり、これを引くことになる。したがって、下部口骨格４２が上部口骨格４０に対し、軸６４を中心として開く方向に移動する。上部口骨格４０、下部口骨格４２には、表皮５の口部分が固定されているので、操作レバー６６を引くことによって、恐竜の口が開くことになる。操作レバー６６を戻すと、バネ８２の付勢力によって、口が閉じる。
【００５０】
上記のようにして、操作レバー６６を操作することで、頭を左右に向けたり、口を開閉させたりすることができる。
【００５１】
上記実施形態では、薄板をＵ字状に形成した腰装着部８を用いている。しかし、柔軟性の高い部材によってベルト形式、巻き付け形式にて、操作者の腰に固定する構造としてもよい。
【００５２】
上記実施形態では、腰装着部８とメインフレームとの間に、ゴムスプリングを設けて結合している。しかし、前後に可動となるように、ダンパ、スプリングなどを設けて結合するようにしてもよい。また、前後ではなく、左右に可動（あるいは前後左右に可動）となるようにしてもよい。
【００５３】
上記実施形態では、腰に巻き付ける装着ベルトによって腰フレーム６を腰に装着するようにしている。しかし、腰に巻き付ける装着ベルトに加えて、操作者の肩からサスペンダーのように固定する装着ベルトを用いてもよい。
【００５４】
上記実施形態では、腰フレーム６は、腰装着部８に対して、前傾、後傾方向に回動可能となっている。しかし、前傾方向、後傾方向のいずれか一方向にのみ回動可能としてもよい。
【００５５】
上記実施形態では、端部フレームとして頭フレーム２を用いて頭を動かす例を示したが、端部フレームを動かすことで、外観筐体の首、手または尻尾部分を動かすようにしてもよい。
【００５６】
上記実施形態では、恐竜の外観筐体を用いた例を示したが、動物、キャラクター、想像上の動物、ロボットなどを外観筐体としてもよい。
【００５７】
上記実施形態では、操作レバー６６によって頭、口を操作するようにしている。しかし、同様にして、目の開閉、耳の動作、頭、首、手または尻尾部分の動作などを実現するようにしてもよい。なお、操作レバー６６は必ずしも設けなくともよい。
【００５８】
いくつかの特徴のついてのみ説明を行ったが、当業者であれば種々の修正や変更ができるであろう。よって、添付の特許請求の範囲は、開示の精神の範囲内に入るこれら全ての修正や変更をカバーすることを意図したものである。
【図１】
2020078514.tif 000003
【図２】
2020078514.tif 000004
【図３】
2020078514.tif 000005
【図４】
2020078514.tif 000006
【図５】
2020078514.tif 000007
【図６】
2020078514.tif 000008
【図７】
2020078514.tif 000009
【図８】
2020078514.tif 000010
【図９】
2020078514.tif 000011
【図１０】
2020078514.tif 000012
【図１１】
2020078514.tif 000013
【図１２】
2020078514.tif 000014